(57)【要約】【課題】かご室の巾木部に設ける照明ユニットの構造を改良して、その照明ユニットに乗客の靴先が当ったり照明ユニットが乗客の視界に入ることがないとともに、照明ユニットの光源の交換時にはその作業を容易に能率よく行なうことができるエレベータのかご室照明装置を提供する。【解決手段】エレベータのかご室の側板３の下方に設けられた巾木部２２は、かご室内に直接対向する開放部２７ａと直接対向しない非開放部２７ｂとを有し、この巾木部２２の内側の空間２７内に床照明用の照明ユニット３２が設けられている。この照明ユニット３２は、ヒンジ３１を介して巾木部２２の内側の開放部２７ａと非開放部２７ｂとの位置に変位させることが可能となっており、通常時にはその非開放部２７ｂの位置に保持され、照明ユニット３２の光源３４の交換時に開放部２７ａの位置に変位される。【選択図】      図２
2008280169.tif 000002
【特許請求の範囲】
【請求項１】
エレベータのかご室の側板の下方に設けられ、内側の空間が前記かご室内に直接対向する開放部と直接対向しない非開放部を有する巾木部と、
前記巾木部の内側の空間内に設けられた照明ユニットと、
前記照明ユニットを保持し、かつその照明ユニットを前記巾木部の内側の前記開放部と前記非開放部との位置に変位させることが可能な位置変換手段と、
を具備することを特徴とするエレベータのかご室照明装置。
【請求項２】
前記位置変換手段は、ヒンジを備え、そのヒンジの回動動作で前記照明ユニットを前記巾木部の内側の開放部と非開放部との位置に変位させることが可能となっていることを特徴とする請求項１に記載のエレベータのかご室照明装置。
【請求項３】
前記位置変換手段は、ねじ棒を備え、そのねじ棒の回転動作で前記照明ユニットを前記巾木部の内側の開放部と非開放部との位置に変位させることが可能となっていることを特徴とする請求項１に記載のエレベータのかご室照明装置。
【発明の詳細な説明】
【技術分野】
【０００１】
この発明は、エレベータのかご室の床部を照明するかご室照明装置に関する。
【背景技術】
【０００２】
エレベータのかご室は、かご床と、このかご床の上に取り付けられてかご室の側壁を構成する複数枚の側板と、これら側板の上部に据え付けられた天井部と、かご室の前面の出入口を開閉するかごドアなどを備えて構成されている。そしてかご室の側壁を構成する側板の下端部とかご床との間には、高さが数ｃｍ乃至数十ｃｍ程度の巾木部が設けられている。
【０００３】
かご室の天井部には照明ユニットが設けられ、この照明ユニットによりかご室内のほぼ全体が照明される。そして、近年では、例えば特開２００４−２０３６１１公報に見られるように、天井部の照明ユニットに加え、かご室の側壁を構成する側板の下端部とかご床との間の巾木部にもかご床用の照明ユニットを設け、この照明ユニットによりかご室内の床部つまり乗客の足元を照明して趣のある照明効果を得るような手段が採られるようになってきている。
【特許文献１】特開２００４−２０３６１１公報
【発明の開示】
【発明が解決しようとする課題】
【０００４】
ところで、かご室の巾木部に照明ユニットを設ける場合、その巾木部のかご室内に面して対向する開放部に照明ユニットを配置させれば、その照明ユニットの光源としてのランプの交換時にその開放部を通してかご室内から容易にその交換作業を行なえる。
【０００５】
しかしながら、巾木部のかご室内に面する開放部は、かご室内に乗り込んだ乗客の靴先が当ることが多々あり、このためその巾木部の開放部に照明ユニットを配置させると、乗客の靴先で照明ユニットが損傷され、あるいは破損されてしまう恐れがある。また、巾木部の開放部に照明ユニットが配置されていると、その照明ユニットがかご室内の乗客の視界に直接入り、意匠性や照明デザインを低下させてしまう。
【０００６】
そこで、巾木部のかご室内と直接対向しない非開放部に照明ユニットを配置させることが考えられる。この場合には、照明ユニットに乗客の靴先が当ったり、照明ユニットが乗客の視界に入るようなことがなく、好都合である。
【０００７】
しかしながら、照明ユニットが巾木部の非開放部に配置されていると、その照明ユニットの光源を交換するときにその交換の作業が面倒となったり、かご室内からでは光源を交換することができなくなることもあり、したがってこの場合には巾木部の背面部に照明ユニットと対向する点検口を形成し、かご室の外側のエレベータ昇降路内からその点検口を通して光源の交換をしなければならなくなる。かご室の外側から光源を交換するとなると、その作業時にエレベータの運行を停止させなければならず、大掛かりな作業となってしまう。
【０００８】
この発明はこのような点に着目してなされたもので、その目的とするところは、かご室の巾木部に設ける照明ユニットの構造を改良して、その照明ユニットに乗客の靴先が当ったり照明ユニットが乗客の視界に入ることがないとともに、照明ユニットの光源の交換時にはその作業を容易に能率よく行なうことができるエレベータのかご室照明装置を提供することにある。
【課題を解決するための手段】
【０００９】
請求項１の発明は、エレベータのかご室の側板の下方に設けられ、内側の空間が前記かご室内に直接対向する開放部と直接対向しない非開放部を有する巾木部と、前記巾木部の内側の空間内に設けられた照明ユニットと、前記照明ユニットを保持し、かつその照明ユニットを前記巾木部の内側の前記開放部と前記非開放部との位置に変位させることが可能な位置変換手段とを具備することを特徴としている。
【００１０】
請求項２の発明は、前記位置変換手段がヒンジを備え、そのヒンジの回動動作で前記照明ユニットを前記巾木部の内側の開放部と非開放部との位置に変位させることが可能となっていることを特徴としている。
【００１１】
請求項３の発明は、前記位置変換手段がねじ棒を備え、そのねじ棒の回転動作で前記照明ユニットを前記巾木部の内側の開放部と非開放部との位置に変位させることが可能となっていることを特徴としている。
【発明の効果】
【００１２】
この発明によれば、かご室の巾木部に設けられた照明ユニットに乗客の靴先が当ったりその照明ユニットが乗客の視界に入ることがなく、良好な意匠性を保つことができるとともに、その照明ユニットの光源の交換時にはその作業を容易に能率よく行なうことができる。
【発明を実施するための最良の形態】
【００１３】
以下、この発明の実施の形態について図面を参照して説明する。
【００１４】
図１はこの発明の一実施形態に係るかご室１の全体の断面図で、図２はそのかご室１の要部を拡大して示す断面図である。図１に示すように、かご室１は、かご床２を備え、このかご床２の上にかご室１の側壁を構成する複数枚の側板３が設けられ、これら側板３の上部に天井部４が据え付けられている。
【００１５】
かご室１の前面には一対の入口柱６が設けられ、これら入口柱６の外側に脇板７が設けられ、また入口柱６の相互間の上部に幕板８が設けられ、この幕板８と一対の入口柱６で囲まれた空間がかご室１に対する乗客の出入口９となっている。そしてこの出入口９にその開閉用のかごドア１０が設けられている。
【００１６】
天井部４の下面にはかご室１内のほぼ全体を照明する照明ユニット１２が据え付けられ、また一方の脇板７の表面にはかご室操作盤１３が取り付けられている。かご室操作盤１３には、かごの行先階を登録する行先階ボタン１４、かごドア１０を手動で開閉するための開閉ボタン１５、かごの位置を表示するインジケータ１６、スイッチ１８が収納されたスイッチボックス１７などが設けられている。スイッチボックス１７は施錠可能なカバー１９で覆われ、このカバー１９を開いて前記スイッチ１８を操作することができるようになっている。
【００１７】
かご室１の側壁を構成する側板３の下部とかご床２との間には巾木部２２が設けられている。この巾木部２２は、図１及び図２に示すように、かご床２と側板３の下部裏面との間に断面ほぼＬ形状の巾木材２３を取り付けて構成されている。巾木材２３は側板３の裏面側に配置され、その下部が取付片２４を介してかご床２に固定され、上部が断面コ字状の取付材２５を介して側板３に固定されている。このような構造の巾木部２２は、かご室１の下部の両側部から奥行側後部に渡って連続するように設けられている。
【００１８】
各側板３の下端縁は巾木材２３の上下のほぼ中間部の位置にまで達しており、したがって巾木材２３の内側の空間２７のほぼ下半部はかご室１の内部と直接対向する開放部２７ａで、ほぼ上半部は側板３で覆われてかご室１の内部と対向しない非開放部２７ｂとなっている。
【００１９】
側板３の下端部の裏面には、ヒンジ３１を介してブラケット３０が取り付けられている。このブラケット３０はヒンジ３１の枢軸３１ａを中心に回動することで、巾木材２３の内側の非開放部２７ｂの位置と開放部２７ａの位置とに変位することが可能となっている。そしてこのブラケット３０に床用の照明手段としての照明ユニット３２が取り付けられている。
【００２０】
この照明ユニット３２は、例えばブラケット３０に互いに対向して一対のソケット３３（一方のみ図示）を取り付け、これらソケット３３間に光源として直管形の蛍光ランプ３４を脱着可能に取り付けてなる。
【００２１】
ブラケット３０は鉄などの磁性材料で形成されている。そして巾木材２３の内側の天井部２３ａには電磁石３６が取り付けられている。前記電磁石３６及び前記蛍光ランプ３４は前記スイッチボックス１７内のスイッチ１８に接続され、そのスイッチ１８を通して常時通電され、その通電により電磁石３６が励磁され、その磁力でブラケット３０が電磁石３６に吸着され、このブラケット３０と共に照明ユニット３２が巾木材２３の内側の非開放部２７ｂの位置に保持され、この状態で蛍光ランプ３４が点灯する。
【００２２】
このようなかご室照明装置は、かご室１の両側部の巾木部２２及び奥行側後部の巾木部２２にそれぞれ同様の構造で設置されている。そしてこれらかご室照明装置の蛍光ランプ３４の光がかご室１の床部に照射されてその床部が照明される。照明ユニット３２の蛍光ランプ３４は、通常時、かご室１の内部と直接対向しない巾木部２２の非開放部２７ｂに配置されており、このため蛍光ランプ３４によるかご床の照明は趣のある間接照明となり、またかご室１内の乗客の視界に蛍光ランプ３４が入ることがないから、かご室１内の意匠性も向上する。
【００２３】
さらに、かご室１内の巾木部２２には乗客の靴先が当ることがあるが、照明ユニット３２は側板３の下端部で覆われた非開放部２７ｂに配置されているため、その乗客の靴先が照明ユニット３２に当ることがなく、したがって照明ユニット３２の損傷や破損を防止することができる。
【００２４】
一方、照明ユニット３２の蛍光ランプ３４が寿命に達して交換するときには、まず、かご室操作盤１３におけるスイッチボックス１７のカバー１９を開き、そのスイッチボックス１７内のスイッチ１８をオフ操作する。この操作で巾木部２２の電磁石３６及び蛍光ランプ３４に対する通電が切れ、電磁石３６が消磁し、また蛍光ランプ３４が消灯する。そして、電磁石３６の消磁に応じて照明ユニット３２がブラケット３０と共にヒンジ３１の枢軸３１ａを中心に自重で図２に鎖線で示すように下方に回動し、巾木材２３の内側の非開放部２７ｂの位置から開放部２７ａの位置に変位する。
【００２５】
照明ユニット３２が開放部２７ａに変位して配置することにより、かご室１に対して照明ユニット３２が露出し、したがってこの状態でかご室１内から巾木材２３の内側に作業員が手を差込んで照明ユニット３２の蛍光ランプ３４を取り外し、新たな蛍光ランプ３４と容易に交換することができる。
【００２６】
蛍光ランプ３４を交換した後には、スイッチボックス１７内のスイッチ１８をオン操作する。この操作で電磁石３６が励磁され、また蛍光ランプ３４が点灯する。この状態で、開放部２７ａに位置する照明ユニット３２を手動で奥側に押し込み、ブラケット３０をヒンジ３１の枢軸３１ａを中心に上方に回動させる。この回動で、ブラケット３０が電磁石３６に近づいて電磁石３６に吸着され、このブラケット３０と共に照明ユニット３２が巾木材２３の内側の非開放部２７ｂに保持される。
【００２７】
このように本実施形態によれば、通常時には靴先が当ったり乗客の視界に入らない適切な位置に照明ユニット３２を保持することができるとともに、その照明ユニット３２の蛍光ランプ３４の交換が必要となったときには、その照明ユニット３２をかご室１内に露出する位置に変位させてその位置で蛍光ランプ３４の交換作業を容易に能率よく行なうことができる。そしてその交換作業はかご室１の外側ではなくかご室１の内部において行なえるから、かごの運行を停止させることなくその運行中であっても、容易に交換作業を実施することができる。
【００２８】
なお、前記実施形態では、電磁石３６と蛍光ランプ３４とを同じスイッチ１８でオンオフするようにしたが、別系統のスイッチで別々にオンオフするようにしても何ら差し支えない。
【００２９】
図３には、照明ユニット３２の位置を変位させる位置変換手段の変形例を示してある。この例では照明ユニット３２が断面コ字状のブラケット４０を備え、このブラケット４０の内側にソケット４１を介して光源としての直管形の蛍光ランプ４２が脱着可能に取り付けられている。
【００３０】
照明ユニット３２は巾木材２３の内側に配置され、この照明ユニット３２のブラケット４０にはその下部から上部に渡ってねじ棒４３が貫挿されている。巾木材２３の天井部２３ａには透孔４４が形成されているとともに、この透孔４４と同心的に天井部２３ａの上面にナット４５が溶接などの手段で固着されている。前記ねじ棒４３は巾木材２３の内側から前記透孔４４を通して前記ナット４５にねじ込まれ、その上端側が天井部２３ａの上方側に突出している。ねじ棒４３の下端部には摘み４７が取り付けられ、この摘み４７を介してブラケット４０がねじ棒４３に支持され、このねじ棒４３を摘み４７を介して回すことによりブラケット４０と一体的に照明ユニット３２を上下に変位させることができるようになっている。
【００３１】
通常時には、ブラケット４０及び照明ユニット３２は巾木材２３の内側の上部つまり非開放部２７ｂの位置に保持され、照明ユニット３２の蛍光ランプ４２によりかご室１の床部が照明される。したがってこの場合においても、蛍光ランプ４２によるかご床の照明は趣のある間接照明となり、またかご室１内の乗客の視界に蛍光ランプ４２が入ることもないから、かご室１内の意匠性も向上し、かつ乗客の靴先が照明ユニット３２に当ることがないからその損傷や破損を防止することができる。
【００３２】
一方、照明ユニット３２の蛍光ランプ４２が寿命に達して交換するときには、かご室１内から巾木材２３の内側の開放部２７ａ内に作業員が手を差し込み、摘み４７を摘んでねじ棒４３を一方向に回し、ブラケット４０及び照明ユニット３２を巾木材２３の内側の非開放部２７ｂの位置から開放部２７ａの位置に変位させる。
【００３３】
これにより、かご室１に対して照明ユニット３２が露出し、したがってこの状態でかご室１内から巾木材２３の内側に手を差込んで照明ユニット３２の蛍光ランプ４２を取り外し、新たな蛍光ランプ４２と容易に交換することができる。蛍光ランプ３４を交換した後には、ねじ棒４３を逆方向に回し、ブラケット４０及び照明ユニット３２を上昇させて非開放部２７ｂの位置に配置させる。
【００３４】
このように本例においても、通常時には靴先が当ったり乗客の視界に入らない適切な位置に照明ユニット３２を保持することができるとともに、その照明ユニット３２の蛍光ランプ４２の交換が必要となったときには、その照明ユニット３２をかご室１内に露出する位置に変位させてその位置で蛍光ランプ４２の交換作業を容易に能率よく行なうことができる。そしてその交換作業はかご室１の外側ではなくかご室１の内部において行なえるから、かごの運行を停止させることなくその運行中であっても、容易に交換作業を実施することができる。
【００３５】
なお、照明ユニットの光源としては、蛍光ランプを用いる場合のほか、冷陰極管などの放電ランプや白熱式のランプなどを用いることも可能である。
【図面の簡単な説明】
【００３６】
【図１】この発明の一実施形態に係るエレベータのかご室の全体の断面図。
【図２】そのかご室の要部を拡大して示す断面図。
【図３】照明ユニットの位置変換手段の変形例を示す断面図。
【符号の説明】
【００３７】
１…かご室
２…かご床
３…側板
４…天井部
２２…巾木部
２３…巾木材
２７…巾木材の内側の空間
２７ａ…開放部
２７ｂ…非開放部
３０…ブラケット
３１…ヒンジ
３２…照明ユニット
３３…ソケット
３４…蛍光ランプ
３６…電磁石
４０…ブラケット
４１…ソケット
４２…蛍光ランプ
４３…ねじ棒
４４…透孔
４５…ナット
【図１】
2008280169.tif 000003
【図２】
2008280169.tif 000004
【図３】
2008280169.tif 000005